(57)【要約】【課題】冷却や氷の使用なしに、好適な冷涼感と触感を与えることができる冷感マットに関する。【解決手段】上面材２と、下面材３と、該上面材２と下面材３との間に配された中材４とを具える冷感マット１であって、前記中材４が、少なくとも水、ポリプロピレンアミン及びグリセリンを含むことにより、中材がジェル状の柔軟な固体物質に維持され、柔軟で好適な触感を与えることができ、またポリプロピレンアミンが網状立体構造であるため、これにより水の蒸発を防止できるとともに、高い放熱効果も得られるので、好適な冷涼感を与えることができる。【選択図】図１
2013146500.tif 000002
【特許請求の範囲】
【請求項１】
上面材と、下面材と、該上面材と下面材との間に配された中材とを具える冷感マットであって、
前記中材が、少なくとも水、ポリプロピレンアミン及びグリセリンを含むことを特徴とする冷感マット。
【請求項２】
前記上面材と下面材とが、光硬化型接着剤にて接着された接着部を有する請求項１に記載の冷感マット。
【請求項３】
前記接着部が、前記上面材と下面材とを中空部が形成された袋状に接着する第１接着部と、前記第１接着部から延設され、前記中空部を分割する第２接着部である請求項２記載の冷感マット。
【請求項４】
前記ポリプロピレンアミンの配合量は、前記中材の５〜３０質量％である請求項１〜３の何れかに記載の冷感マット。
【請求項５】
前記中材が、さらに防腐剤を含む請求項１〜４のいすれかに記載の冷感マット。
【請求項６】
前記上面材及び／又は下面材に、防水加工が施されている請求項１〜５のいずれかに記載の冷感マット。
【請求項７】
前記上面材及び／又は下面材に、防カビ加工が施されている請求項１〜６のいずれかに記載の冷感マット。
【発明の詳細な説明】
【技術分野】
【０００１】
本発明は、冷却や氷の使用なしに、熱を吸収する冷感マットに関し、詳しくは、使用者の接触部位の体温を大量に吸収でき、かつ使用者にゴツゴツとした違和感を与えることなく、好適な冷涼感と触感を与えることができる冷感マットに関する。
【背景技術】
【０００２】
例えば夏季の寝苦しい夜などに快適な睡眠を得るために、冷蔵庫での冷却や氷の使用なしに、熱を吸収する冷感マットがある（例えば下記特許文献１参照）。特許文献１には、上面材と、下面材と、該上面材と下面材との間に挟持された中材とからなり、前記中材が、塩化カルシウム６水和物からなる冷感マットが開示されている。
【０００３】
この特許文献１に開示された冷感マットでは、中材に塩化カルシウム６水和物を用いることにより、製造コストが安価で、かつ冷却や氷の使用なしに、熱が吸収されている。しかし、高温環境下では、中材が固形化して大きな塊状となり、それらが融解されるまでに使用すると、使用者にゴツゴツとした違和感を与えるとともに、中材が固形化されたことにより放熱量が低下する恐れがあった。
【０００４】
また特許文献２には、前記中材に水、硫酸ナトリウム、塩化ナトリウム及びカオリンの粉末を含む冷感マットが開示されている。この冷感マットでは、熱伝導率が高いカオリンの粉末が冷感マット内の中材に分散配置されることにより、中材の温度を均一化して一部の中材が固形化されるの防止している。なお、この冷感マットは、その生産工程にて、上面材と下面材とが熱溶着されて形成される。
【先行技術文献】
【特許文献】
【０００５】
【特許文献１】実用新案登録第３１５１７４８号公報
【特許文献２】実用新案登録第３１７１６２９号公報
【発明の概要】
【発明が解決しようとする課題】
【０００６】
しかしながら、特許文献２に記載された冷感マットでは、中材の温度を均一化することにより、中材が部分的に固形化されることは防止されるが、例えば高温期に冷感マットを長時間使用した場合、すなわち中材の温度が均一化されても、冷感マット全体として温度上昇が継続された場合には、冷感マット全体が徐々に固形化される恐れがあり、使用者にゴツゴツとした違和感を与えることが考えられる。また冷感マットが固形化される際に、その放熱能力が低下され、使用者の接触部位において、体温を好適に吸収できなくなることも考えられる。
【０００７】
本発明は、上記問題点に鑑みなされたもので、冷却や氷の使用なしに、使用者の接触部位の体温を大量に吸収でき、かつ使用者にゴツゴツとした違和感を与えることなく、好適な冷涼感と触感を与えることができる冷感マットを提供することにある。
【課題を解決するための手段】
【０００８】
本発明のうち請求項１記載の発明は、上面材と、下面材と、該上面材と下面材との間に配された中材とを具える冷感マットであって、前記中材が、少なくとも水、ポリプロピレンアミン及びグリセリンを含むことを特徴とする。
【０００９】
また請求項２記載の発明は、前記上面材と下面材とが、光硬化型接着剤にて接着された接着部を有する請求項１記載の冷感マットである。
【００１０】
また請求項３記載の発明は、前記接着部が、前記上面材と下面材とを中空部が形成された袋状に接着する第１接着部と、前記第１接着部から延設され、前記中空部を分割する第２接着部である請求項２記載の冷感マットである。
【００１１】
また請求項４記載の発明は、前記ポリプロピレンアミンの配合量は、前記中材の５〜３０質量％である請求項１〜３のいずれかに記載の冷感マットである。
【００１２】
また請求項５記載の発明は、前記中材が、さらに防腐剤を含む請求項１〜４のいずれかに記載の冷感マットである。
【００１３】
また請求項６記載の発明は、前記上面材及び／又は下面材に、防水加工が施されている請求項１〜５のいずれかに記載の冷感マットである。
【００１４】
また請求項７記載の発明は、前記上面材及び／又は下面材に、防カビ加工が施されている請求項１〜６のいずれかに記載の冷感マットである。
【発明の効果】
【００１５】
本発明によれば、中材が、水、ポリプロピレンアミン及びグリセリンを含むことにより、中材をジェル状の柔軟な固体物質に維持できる。よって中材が固形化されることによるゴツゴツとした違和感を使用者に与えることなく、柔軟で好適な触感を与えることができる。また、高分子ポリマーであるポリプロピレンアミンを含むことにより、水分子が高分子の網状立体構造に内包され、水の蒸発が防止されるので、水による吸熱量を維持できるとともに、網状立体構造による高い放熱効果を有しているので、使用者の接触部位の体温を大量に吸収でき、好適な冷涼感を与えることができる。
【００１６】
また、請求項２に係る発明によれば、上面材と下面材とが、光硬化型接着剤にて接着されるため、例えば従来の熱溶着による生産工程でにおいて生じる化学残留物等の発生がなく、無毒で、使用者に安全な冷感マットを生産できる。
【００１７】
さらに、請求項６、７に係る発明によれば、上面材および／または下面材に防水加工や防カビ加工を施すことで、湿気によるカビや雑菌の発生を防止できる効果も得られる。
【図面の簡単な説明】
【００１８】
【図１】本発明の冷感マットの一構成例を示す全体斜視図である。
【図２】図１に示す冷感マットの拡大断面図である。
【図３】冷感マットの折り畳み状態を示す側面図である。
【図４】冷感マットの他の折り畳み状態を示す側面図である。
【図５】（ａ）及び（ｂ）は、夫々冷感マットの使用例を示す正面図である。
【発明を実施するための形態】
【００１９】
以下、本発明の一実施形態を、図面に基づき説明する。
図１には本発明の冷感マット１の全体斜視図、図２にはその拡大断面図が示される。本実施形態の冷感マット１は、上面材２と、下面材３と、これら上面材２と下面材３との間に配された中材４とを具え、中材４が、水、ポリプロピレンアミン及びグリセリンを含む混合物からなることを特徴とする。
【００２０】
このような本発明の冷感マット１は、中材４が、水、ポリプロピレンアミンを含むことにより、中材４をジェル状の柔軟な固体物質にできる。また中材４がグリセリンを含むことにより、水とポリプロピレンアミンの混合物が固形化されることなく、ジェル状の柔軟な固体物質に維持できる。よって中材４が固形化されることによるゴツゴツとした違和感を使用者に与えることなく、柔軟で好適な触感を与えることができる。また、高分子ポリマーであるポリプロピレンアミンを含むことにより、水分子が高分子の網状立体構造に内包され、水の蒸発が防止されるので、水による吸熱量を維持できるとともに、網状立体構造による高い放熱効果を有しているので、使用者の接触部位の体温を大量に吸収でき、好適な冷涼感を与えることができる。
【００２１】
本実施形態の冷感マット１は、上面材２および下面材３がいずれも二層構造である。上面材２は、外側に配設されるポリエステルからなる外層シート５と、内側に配設される塩化ビニルからなる内層シート６とから形成される。また、下面材３は、外側に配設されるポリエステルからなる外層シート７と、内側に配設される塩化ビニルからなる内層シート８から形成される。
【００２２】
上記上面材２を構成する外層シート５および内層シート６と、下面材３を構成する外層シート７および内層シート８とは、それぞれ光硬化型接着剤にて接着された接着部９を介して接着されている。すなわち上面材２と下面材３とが、光硬化型接着剤にて接着されるため、例えば従来の熱溶着による生産工程では生じていた化学残留物等の発生がなく、無毒で、使用者に安全な冷感マット１を生産できる。
【００２３】
上記接着部９は、上面材２と下面材３とを中空部１０が形成された袋状に接着する第１接着部９ａと、この第１接着部９ａから延設され、中空部１０を分割する第２接着部９ｂである。前記中空部１０に、水、ポリプロピレンアミン及びグリセリンからなる混合物である中材４が封入されている。また第１接着部９ａを介して上面材２と下面材３との周縁を接着しているが、本実施形態の冷感マット１には、上面材２と下面材３との周縁にさらにロック加工が施されている。
【００２４】
上記第２接着部９ｂは、第１接着部９ａにより接着された上面材２と下面材３の複数箇所にて形成することが好ましい。これにより、複数に分割された中空部１０、１０…に、中材４が配され、冷感マット１の使用中に中材４に偏りが発生することが防止される。また、図に示すように、第２接着部９ｂを、冷感マット１の長手方向の複数箇所に、平行状態で形成することにより、冷感マット１を、図３に示されるように、三つ折りに折り畳むことや、図４に示されるように、六つ折りに折り畳むことができ、冷感マット１の携帯やその収納を容易にできる。
【００２５】
上記ポリプロピレンアミンは、高分子ポリマーであって、高分子の網状立体構造を有している。この網状立体構造に水分子が内包されるため、水の蒸発が防止される。よって、この水で身体から発生される熱が効率よく吸収される。また、この吸収された熱は、ポリプロピレンアミンの網状立体構造を介し、より温度の低い方（例えば、空気中）へ迅速に放熱される。
【００２６】
なお、前記中材４に含まれる水とポリプロピレンアミンの含有量は、中材４の全質量に対し水の含有量を増加させると熱の吸収効率を増加でき、ポリプロピレンアミンの含有量を増加させると放熱効率を増加できる。そのため本実施形態の中材４に含まれるポリプロピレンアミンの含有量は、中材４の全質量に対し、好ましくは５〜３０質量％、より好ましくは１５質量％とする。また、中材４に含まれる水の含有量は、中材４の全質量に対し、好ましくは６８〜９３質量％、より好ましくは８３質量％とする。
【００２７】
また、前記中材４は、水、ポリプロピレンアミン及びグリセリンを含む混合物としているが、さらに防腐剤を含む混合物としてもよく、冷感マットを長期に使用する際に、前記防腐剤により中材４の腐蝕を防止できる。なお、グリセリン及び防腐剤の含有量は、冷感マットの使用条件等に応じて適宜設定され、特に限定されるものではないが、中材４の全質量に対し、好ましくは３質量％未満、より好ましくは１質量％とする。
【００２８】
また、上面材２および／または下面材３には、防水加工を施すことが好ましい。上面材２および／または下面材３に防水加工を施すことにより、身体からの発汗による汗が中材４まで浸透することがなくなり、湿気によるカビや雑菌の発生を防止する効果が得られる。防水加工は、表面を防水性を有する材料により被覆するか、または疎水化して、水の浸透を防ぐ加工であり、油脂やワックス、液状の合成樹脂、シリコーン等素材が使用される。より好適には、防水加工を、上面材２の外層シート５の表面と、下面材３の外層シート７の表面とに、それぞれ施すことが好ましい。
【００２９】
さらに、上面材２および／または下面材３には、防カビ加工を施すことも好ましい。上面材２および／または下面材３に防カビ加工を施すことにとで、冷感マット１の表面にカビや雑菌が発生することを防止できる。防カビ加工は、銀、銅、亜鉛、ゼオライト、キトサン等の天然系抗菌剤や、酸化チタン等の無機系の素材を、塗布するかシート内に練り込むことにより施すことができる。防カビ加工を施すことができる。
【００３０】
本発明の冷感マット１は、夏季の寝苦しい夜などに快適な睡眠を得るために、頭部や頸部の下に敷設させる枕としての使用はもとより、ベッドパッドや敷布団パッド、クッションパッド等に幅広く利用することができる。また、その他にも、ノート型パソコンの下に敷設させることで、パソコンから放出される熱気を吸収して、好適な条件での使用が実現できる。
【００３１】
本発明の冷感マット１の具体的な使用例として、図５（ａ）に示されるように、枕１１に具備することができる。この際、冷感マット１をメッシュ状の袋１２内に収容させ、かかる冷感マット１を枕１１の一部、例えば、首の頚部が載置される箇所に具備することにより、より快適な睡眠を得ることができる。また、図５（ｂ）に示されるように、クッションや座布団等の敷設具１３の全面に具備することもできる。
【００３２】
なお、本発明の冷感マット１の大きさについては、特に限定されるものではなく、枕に使用する小型のタイプから、ベッドパットに使用する大型サイズのものまで、用途に応じて、適宜寸法とすることができる。その一例として、３０ｃｍ×１５ｃｍの小型パットから、９０ｃｍ×１４０ｃｍの大型パットとしての冷感パットを形成することができる。  
【符号の説明】
【００３３】
１ 冷感マット
２ 上面材
３ 下面材
４ 中材
５ 外層シート
６ 内層シート
７ 外層シート
８ 内層シート
９ 接着部
１０ 中空部
１１ 枕
１２ 袋
１３ 敷設具
【図１】
2013146500.tif 000003
【図２】
2013146500.tif 000004
【図３】
2013146500.tif 000005
【図４】
2013146500.tif 000006
【図５】
2013146500.tif 000007